【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
像担持体に形成された静電像を現像剤で現像する現像剤担持体と、
前記現像剤担持体と接して配置され、前記現像剤担持体へ現像剤を供給する供給部材と、
を備え、
前記像担持体の周速に対する前記現像剤担持体の周速の比率である周速比が第１周速比で画像を形成する第１画像形成動作と、
前記第１周速比よりも大きい第２周速比で画像を形成する第２画像形成動作と、
を実行可能であり、
前記第２画像形成動作の場合には、前記現像剤担持体に印加される現像バイアスと前記供給部材に印加される供給バイアスとの電位差によって、前記現像剤担持体と前記供給部材との接触部における現像剤を前記供給部材から前記現像剤担持体へ向かわせる付勢力が、前記第１画像形成動作の場合よりも弱くなるように、前記現像バイアスと前記供給バイアスが設定されることを特徴とする画像形成装置。
【請求項２】
前記現像剤担持体が収容される現像室と連通しかつ現像剤が収容される収容室に配置され、現像剤を前記現像室に向けて搬送する搬送部材と、
前記搬送部材と前記像担持体を回転駆動可能な駆動手段と、
をさらに備え、
前記第２画像形成動作の場合には、前記像担持体の回転数に対する前記搬送部材の回転数の比率である回転数比が、前記第１画像形成動作の場合よりも大きいことを特徴とする請求項１に記載の画像形成装置。
【請求項３】
前記現像剤担持体に現像バイアスを印加する現像バイアス印加手段と、
前記供給部材に供給バイアスを印加する供給バイアス印加手段と、
をさらに備え、
前記供給バイアス印加手段は、前記第２画像形成動作の場合には、前記現像バイアスとの電位差の絶対値の大きさが、前記第１画像形成動作の場合に前記供給部材に印加する第１の供給バイアスよりも小さい第２の供給バイアスを、前記供給部材に印加することを特徴とする請求項２に記載の画像形成装置。
【請求項４】
前記第１の供給バイアスから前記第２の供給バイアスを差し引いて得られた電位差の極性は、現像剤の正規の帯電極性とは同極性であることを特徴とする請求項３に記載の画像形成装置。
【請求項５】
前記第１の供給バイアスと前記第２の供給バイアスの大きさの絶対値は、前記現像バイアスの大きさの絶対値よりも大きいことを特徴とする請求項３または４に記載の画像形成装置。
【請求項６】
前記駆動手段は、
前記第２画像形成動作の場合には、前記像担持体の周速を、前記第１画像形成動作の場合よりも遅くし、
前記現像剤担持体の周速を、前記第１画像形成動作と前記第２画像形成動作とで同じにすることを特徴とする請求項５に記載の画像形成装置。
【請求項７】
前記第１の供給バイアスの大きさの絶対値は、前記現像バイアスの大きさの絶対値よりも大きく、
前記第２の供給バイアスの大きさの絶対値は、前記現像バイアスの大きさの絶対値よりも小さいことを特徴とする請求項３または４に記載の画像形成装置。
【請求項８】
前記第１の供給バイアスの大きさの絶対値は、前記現像バイアスの大きさの絶対値よりも大きく、
前記第２の供給バイアスの大きさの絶対値は、前記現像バイアスの大きさの絶対値と同じであることを特徴とする請求項３または４に記載の画像形成装置。
【請求項９】
前記第１の供給バイアスから前記現像バイアスを差し引いて得られた電位差の極性は、現像剤の正規帯電極性と同極性であることを特徴とする請求項７または８に記載の画像形成装置。
【請求項１０】
前記駆動手段は、
前記像担持体の周速を、前記第１画像形成動作及び前記第２画像形成動作において一定とし、
前記第２画像形成動作の場合には、前記現像剤担持体の周速を、前記第１画像形成動作のときよりも速くすることを特徴とする請求項８に記載の画像形成装置。
【請求項１１】
連続して画像が形成される二枚の記録材のうちの一枚目の記録材に画像を形成する画像形成動作における画像形成終了から、二枚目の記録材に画像を形成する画像形成動作における画像形成開始までの期間において、
前記供給バイアス印加手段は、絶対値の大きさが前記第１の供給バイアスよりも小さい供給バイアスを前記供給部材に印加することを特徴とする請求項３〜１０のいずれか１項に記載の画像形成装置。
【請求項１２】
記録材に画像を形成する画像形成動作における画像形成開始から画像形成終了までの期間において、
前記供給バイアス印加手段が印加する供給バイアスは、大きさが一定であることを特徴とする請求項３〜１１のいずれか１項に記載の画像形成装置。
【請求項１３】
記録材に画像を形成する画像形成動作における画像形成開始から画像形成終了までの期間において、
前記供給バイアス印加手段が印加する供給バイアスは、大きさが徐々に変化することを特徴とする請求項３〜１１のいずれか１項に記載の画像形成装置。
【請求項１４】
記録材に画像を形成する画像形成動作における画像形成開始から画像形成終了までの期間において、
前記供給バイアス印加手段が印加する供給バイアスの単位時間当たりの変化量の極性が、現像剤の正規帯電極性と同極性であることを特徴とする請求項１３に記載の画像形成装置。
【請求項１５】
記録材に画像を形成する画像形成動作における画像形成開始から画像形成終了までの期間において、
前記第１の供給バイアスの単位時間当たりの変化量から、前記第２の供給バイアスの単位時間当たりの変化量を差し引いて得られた差における極性が、現像剤の正規帯電極性とは同極性であることを特徴とする請求項１３または１４に記載の画像形成装置。
【請求項１６】
前記現像バイアス印加手段は、前記第１画像形成動作及び前記第２画像形成動作において同じ大きさの現像バイアスを前記現像剤担持体に印加することを特徴とする請求項３〜１５のいずれか１項に記載の画像形成装置。
【請求項１７】
前記第２画像形成動作は、記録材に形成される画像の単位面積当たりの現像剤の載り量を、前記第１画像形成動作で形成する場合よりも多くするための画像形成動作であることを特徴とする請求項１〜１６のいずれか１項に記載の画像形成装置。
【請求項１８】
前記現像室と前記収容室とが連通する連通口は、前記収容室において前記搬送部材よりも上方に位置することを特徴とする請求項２〜１６のいずれか１項に記載の画像形成装置。
【請求項１９】
記録材に形成される画像の印字率を取得する印字率取得手段をさらに備え、
前記印字率取得手段が取得した印字率が所定の閾値以上の場合に、前記第２画像形成動作の実行が可能になることを特徴とする請求項１〜１８のいずれか１項に記載の画像形成装置。
【請求項２０】
前記搬送部材は、使用時の姿勢において、前記供給部材よりも下方に配置されていることを特徴とする請求項２に記載の画像形成装置。
【請求項２１】
前記駆動手段は、
前記像担持体を回転駆動させる第１駆動手段と、
前記搬送部材を回転駆動させる第２駆動手段と、
を備えることを特徴とする請求項２に記載の画像形成装置。
【請求項２２】
前記画像形成装置の起動から、記録材に画像を形成する画像形成動作における画像形成開始までの期間において、
前記供給バイアス印加手段は、絶対値の大きさが前記第１の供給バイアスよりも小さい供給バイアスを前記供給部材に印加することを特徴とする請求項３に記載の画像形成装置。
【請求項２３】
像担持体に形成された静電像を現像剤で現像する回転可能な現像剤担持体と、
前記現像剤担持体と接して配置され、前記現像剤担持体へ現像剤を供給する回転可能な供給部材と、
前記像担持体と前記現像剤担持体とを回転させる駆動手段と、を備え、
前記像担持体の周速に対する前記現像剤担持体の周速の比率である周速比が第１周速比で画像を形成する第１画像形成動作と、
前記第１周速比よりも大きい第２周速比で画像を形成する第２画像形成動作と、
を実行可能であり、
前記第２画像形成動作の場合には、前記現像剤担持体に印加される現像バイアスと前記供給部材に印加される供給バイアスとの電位差によって、前記現像剤担持体と前記供給部材との接触部において現像剤を前記現像剤担持体と前記供給部材の間で移動させる付勢力の付勢方向が、前記第１画像形成動作の場合とは逆方向になるように、前記現像バイアスと前記供給バイアスが設定されることを特徴とする画像形成装置。